(57)【要約】【課題】被介護人を入浴させるのは介護人にとって重労働であり、浴槽に運び且つ湯船に入れ、更には入浴後に湯船から運び出すのが大変な労苦である。【解決手段】寝たままの状態で被介護人を浴槽に運び、また湯船に入れるのにクレーンのカートに載せ且つ湯船に搬入し介護人の労力を省力化し、温風温水送風送水器にて自動的に温水を浴槽本体に満たし被介護人の体を洗浄し、次に温風を吹き込む事により、座敷上のベッドの横でも入浴を可能とした。  さらに、クレーンのカートおよび浴槽本体の床の部分に３６０度自在に回転する回転ボールを配設することにより被介護人の寝たままの体勢の移動と浴槽の温水の流れおよび通風を良くすることで被介護人を満遍なく洗浄することが出来且つ浴槽を衛生的に保てる事も特徴である。【選択図】図１３
2005021705.tif 000002
【特許請求の範囲】
【請求項１】
水位感知器、ヒーター、およびサーモ弁を配設する温風温水送風送水器にて、浴槽本体に温水または温風を供給する事を実現する事により、寝たままの被介護人を座敷上のベッドの横でも入浴させる事ができるのを特徴としたクレーン付介護風呂。
【請求項２】
クレーンのカートおよび浴槽本体の床の部分に３６０度自在に回転する回転ボールを配設することにより被介護人の寝たままの体勢の移動と浴槽の温水の流れおよび通風を良くすることで被介護人を満遍なく洗浄し乾かすことが出来、かつ浴槽を衛生的に保てる事を特徴とするクレーン付介護風呂。
【請求項３】
ゴムパッキン弁、バネ（コイル）、および管締ナットを配設する着脱管にて簡単に各パーツ（吸水タンク大および小、温風温水送風送水器、浴槽本体、温風排出タンク、排水タンク大および小）を接合、離脱が出来るように設計していることと、全ての脚をキャスター付としているので持運びが簡単且つ各パーツに分解することでコンパクトに収納可能とした。
また、各パーツに分離できるのでそれぞれ別々に洗浄も可能であり衛生的であることを特徴とするクレーン付介護風呂。
【請求項４】
水漏れ防止および上記各パーツを速やかに接合分離できる役目を果たすべく、各パーツを連結する管にはすべて逆流防止弁が設けられているのを特徴としたクレーン付介護風呂。
【発明の詳細な説明】
【技術分野】
【０００１】本発明は、寝たままの被介護人を入浴させるためにクレーン付介護風呂を製作し、かつ着脱可能な吸水タンク、および排水タンクを配設することで、吸水、排水を非力な介護人でも可能にし負担を少なくした。さらに被介護者には苦痛なく入浴できるようにしたものである。
【背景技術】
【０００２】従来は、被介護人を浴槽に搬入するのが重労働であり、さらに湯船に入れるまで介護者にかなりの負担が掛かっていた。
【発明の開示】
【発明が解決しようとする課題】
【０００３】被介護人に苦痛を与えず、さらに介護人の手を煩わせずに入浴させることができるかが課題であった。本発明は、この課題を解決するために提供するものである。
【課題を解決するための手段】
【０００４】本発明は、浴槽本体をベッド形式とし、次に、浴槽をベッドに横付けしクレーンを使い、カートに載せて被介護人を浴槽に搬入し湯船に入れる事で、力作業が省力化され介護人の負担を大幅に削減した。
送水送風ファンにより温水を浴槽本体に供給することで座敷上での入浴を可能にした。また、吸排水も着脱自由なコンパクトなタンクを配設したので非力な介護人でも苦労なく取扱ができるように工夫した。
【発明の効果】
【０００５】介護人にとって被介護者を入浴させることは最大の悩みであり最も重労働であったさらには、被介護人も相当の苦痛を伴う作業であったが本発明により全て解消できる
【発明を実施するための最良の形態】
【０００６】浴槽の形態として大きく６つのパーツ（ア）〜（カ）で構成されている
（ア）クレーン図３（３１）
更にクレーンには、４つのパーツにて構成されている。
１．カート図３（３２）
被介護人を載せて運ぶ為のカートには回転ボール図１１（１１０）が組み込まれており被介護人のベッドからのカートへの移動および浴槽内での体の移動をスムースにする役目を担う。
次に、カートにはリクライニング軸図３（３７）を設け被介護人の頭から背中にかけリクライニング板図３（３８）を軸中心に持上げ被介護人の湯船での体勢を形作る。
２．ワイヤー図３（３５）
被介護人を浴槽本体まで搬送し湯船に入れる為の役割を担う。
３．遠隔操作自在滑車図３（３３）
カートを上下・前後に移動させるための器具
４．自在滑車遠隔操作器図３（３４）
遠隔操作自在滑車図３（３３）を操作するための手元スイッチの役目をもち、スイッチＯＮ・ＯＦＦ、上下、前後の操作を滑車に伝達する。
（イ）浴槽本体図４（４０）
更に浴槽本体には、３つのパーツにて構成されている。
１．浴槽の蓋図４（４１）
２段階に折畳むことが出来るように設計した。
被介護人をカート図３の（３２）にて浴槽本体に運び入れる前に、蓋を２段階に折畳む事で被介護人の浴槽本体への搬送をスムースにし、その後被介護人の頭を浴槽本体より上に出し、蓋を閉じる事で快適な入浴ができるよう配慮した。
２．浴槽の床
背もたれ部分を斜めにし床全体に回転ボール図１１（１１０）が組み込まれていて被介護人を載せているカート図３（３２）と被介護人との隙間を形成し温水および温風の流水、および通気を可能にし、排気、排水を充分にし浴槽本体を衛生的に保てるよう工夫した。
３．流入管、および流出管
（Ａ）流入管
外部からの流入管として、温風温水噴出口図４（４２）を設置この噴出口は温風温水送風送水器図６（６０）より温水を浴槽本体へ供給する管であり、外部は着脱管図９（９１−１）および着脱管図９（９１−２）と浴槽内部は逆流防止弁図１０（１００）に接続している
（Ｂ）流出管
浴槽本体からの流出管として、水位管図６（６９）への連絡管図４の管（４３）、温風排出管図４（４４）、溢水流管図４（４５）、排水管図４（４６）の４個の管を設置している。
流出管のそれぞれの役目
（甲）水位管図６（６９）の役目
水位管図６（６９）の役目は、浴槽本体の水位を感知すべく設置したもので温風温水送風送水器図６（６０）との連絡管となっている。
（乙）温風排出管図４（４４）の役目
温風排出管図４（４４）の役目は浴槽本体からの温風を排出するための排出管の役目を担い、温風排出タンク図７（７１）と接続している。
（丙）溢水流管図４（４５）の役目
溢水流管図４（４５）は浴槽本体からの溢水を排出するための排出管の役目を担い、図８の管（８２）を通じて排水タンク大図８（８４）と接続している。
（丁）排水管図４（４６）の役目
排水管図４（４６）は浴槽本体から温水を排出するための役目を担う。
ここで、排水管の前に排水レバー図４（４７）を説明する。
排水レバー図４（４７）の役目は浴槽本体の温水を抜く時のレバーの役目を担っている。このレバーを開くことによりお湯が排水管に排出される。この開閉は手動にて作動させる。
以上の浴槽本体の流入出管にはすべて着脱管図９（９１−１）および着脱管図９（９１−２）と逆流防止弁図１０（１００）とを一体化して設置している。
（ウ）吸水タンク図５（５０）
更に吸水タンクには、３つのパーツにて構成されている。
１．吸水タンク大図５（５４）
浴槽本体図４（４０）に水を供給する為の貯水タンクでありキャップ図５（５６）を開けて外部より水を注入し貯水する。
２．吸水タンク小図５（５３）
浴槽本体図４（４０）に水を供給する為の貯水タンクであり、図５の管（５２）にて吸水タンク大図５（５４）と接合しており、管（５２）は着脱管図９（９１−１）と着脱管図９（９１−２）および逆流防止弁図１０（１００）にて構成されている。
３．流出管
吸水タンク小図５（５３）からの流出管として、管図５（５１）が設置されており管（５１）は着脱管図９（９１−１）と着脱管図９（９１−２）および逆流防止弁図１０（１００）にて構成されている。
更に管（５１）は温風温水送風送水器図６の管（６１）へと接合されている。
流入管はない。
（エ）温風温水送風送水器図６（６０）
更に温風温水送風送水器には、８つのパーツにて構成されている。
１．送水送風ファン図６（６１−１）
ヒーター図６（６４−１）および図６（６４−２）にて暖められた温水および温風を浴槽本体図４（４０）に供給する機器。
２．電動モーター図６（６６）
送水送風ファン図６（６１−１）を稼動させる機器
３．ヒーター図６（６４−１）および図６（６４−２）
吸水タンク小図５（５３）から供給された水を暖めて温水にする機器
オートスイッチと手動スイッチとに切り替える事が可能。
４．サーモ弁図１２の（１２０）
サーモ弁を図６（６５−１）および図６（６５−２）の２箇所に配備し温度の変化に伴い送水送風ファン図６（６１−１）を自動的に稼動させる機器。
温水の温度が３５度（但し被介護人の好みの温度に調節可能）になると自動的に電動モーター図６（６６）のスイッチが入り次に、送水送風ファン図６（６１−１）が回転する。
送水送風ファン図６（６１−１）が回転することにより温水が図６の管（６３−３）を通過し温水を浴槽本体へ供給する。
５．入水切替弁図６（６２−１）および図６（６２−２）
この機器は、サーモ弁が自動的に作動するのと対照的に手動にて作動させる機器であり、サーモ弁より切替えて温度を自由に設定し（水の場合でも可）被介護人を数回に渡り洗浄する事が出来るように手動で開閉する弁である。
温風を浴槽本体に供給する場合にも入水切替弁図６（６２−１）および図６（６２−２）を使う。
即ち、被介護人の温水にての入浴直後排水後に温風のみを送水送風ファン図６（６１−１）にて供給できるように手動とし、ファン室の温度は外部で感知できるよう設計してあり、これも被介護人の好みに合わせて調節できる。このときヒーターの温度をよく観察しておく必要がある。
ただし、温風を送風する時のヒーターは上限を３０度以下に設定する（但しこれも被介護人の好みに調節可能）。
６．水位感知器図６（６８）
浴槽本体から水位管図６（６９）を通り水位感知器図６（６８）にて水位を感知すると電動モーターが停止し、従って送風ファンも停止、浴槽本体への温水の供給が自動的にストップする。
同時にヒーターもスイッチが切れる仕掛けになっている。
７．排水管図６（６３−１）、（６３−２）と排水レバー図６（４７−１）図６（４７−２）、図６（４７−３）および図６（４７−４）
これは、送水送風ファン室図６の水を排水するための排水管図６（６３−１）および（６３−２）を開閉する為の排水レバー図６（４７−１）（４７−２）であり、被介護人の入浴が終了直後温風を流し込む直前の作業をするためのレバーである。つまり、まず排水管（６３−１）より温水を排水する為に排水レバー図６（４７−１）を開き、排水タンク大図８（８４）へ流し込む、次に、排水管（６３−２）にてファン室流水管図６（６７−１）から温水を抜く作業として、排水レバー図６（４７−２）を開き排水タンク大図８（８４）へ流し込む。この時図６（４７−３）の開閉レバーを閉じる図６（４７−４）レバーは温水を浴槽本体へ供給している間中閉じておき温風を注入する直前に吸気のために開ける。
８．流入管、および流出管
（Ａ）流入管
外部からの流入管として
（甲）吸水タンク小図５管（５１）より管図６（６１）へ流入しファン室内流水管図６（６７−１）へと繋がっている。
（乙）水位管図６（６９）の役目
水位管図６（６９）の役目は、浴槽本体の水位を感知すべく設置したもので浴槽本体図４の管（４３）との連絡管となっている。
（丙）逆流防止弁付吸気管図６（６７−２）の役目
逆流防止弁付吸気管の役目として、温風を浴槽本体に送り込むときに送水送風ファン室内に空気を取り込む管であり、本管は逆流防止弁のみが配設されており、着脱管は配設されていない。
（Ｂ）流出管
浴槽本体への流出管として、管図６（６３−３）、が設置され本管を通して温風温水が供給される。
流出入管の外部は上記（丙）逆流防止弁付吸気管図６（６７−２）を除き全て着脱管図９（９１−１）および着脱管図９（９１−２）と逆流防止弁図１０（１００）で構成されている。
（オ）温風排出タンク図７（７０）
浴槽本体からの温風を直接外気へ出さずに間接的に排出する為の機器である。
（Ａ）流入管
外部からの流入管として、浴槽本体の管図４（４４）よりの流入管図７（７１）を設置しておりこの管は浴槽本体からの温風を排気するための管である。
役目として、浴槽本体からの温風には相当の湿気を含んでおり直接外気に触れると、湿気が水滴となるので、間接に湿気を含んだ温風を一旦受入るためである。
（Ｂ）流出管
外部への流出管として、排気管図７（７２）を設置している。
乾燥した排気を外部へ排出する役目を持つ。
浴槽本体から温風排出タンク図７（７０）に取り込み、発生した水滴は管図７の（７３）を通り排水タンク大図８（８４）に貯水される。
流出入管の外部は全て着脱管図９（９１−１）および着脱管図９（９１−２）と逆流防止弁図１０（１００）で構成されている。
（カ）排水タンク図８（８０）
更に排水タンクには、３つのパーツにて構成されている。
１．排水タンク大図８（８４）
浴槽本体図４（４０）からの排水の貯水タンクである。
このとき、介護者の負担を軽くする為、数回の注入に分割して排水できるよう次の２．の排水タンク小図８（８３）を設けている。
２．排水タンク小図８（８３）
排水タンク大図８（８４）と同様に浴槽本体図４（４０）からの排水の貯水タンクである。吸水タンク大とは管（８６）で連結しており、本管も着脱管図９（９１−１）と着脱管図９（９１−２）および逆流防止弁図１０（１００）にて構成されている。排水タンク小図８（８３）は、介護人による作業で分割排水を可能とし労力を削減する役目を担っている。
３．流入管
（Ａ）流入管
外部からの流入管として、浴槽本体の溢水管図４（４５）よりの流入管（８２）を設置しておりこの管は浴槽本体の溢水を貯水するための管である。次に、浴槽本体からの排水管図４（４６）として図８の管（８１）をファン室排水管図６（６３−１）、およびファン室流水管内排水管図６（６３−２）からの流入管として図８の管８９を設置している。さらに、温風排出タンク図７（７３）から図８の管（８５）が流入している。
（Ｂ）流出管はない
流入管の外部は全て着脱管図９（９１−１）および着脱管図９（９１−２）と逆流防止弁図１０（１００）で構成されている。
【実施例】
【０００７】浴槽本体をベッドに横付けし、温風温水送風送水器図６（６０）からの排水管図６（６３−１）、（６３−２）の排水レバーおよび逆流防止弁付吸気管図６（６７−２）および図６（４７−３）の開閉レバーを閉じ、次に浴槽本体の排水管図４（４６）の排水レバー図４（４７）を閉じる。次に吸水タンク大図５（５４）に貯水。ここで吸水タンク小とはまだ繋がない。次に、吸水タンク大図５（５４）と吸水タンク小との結合を除き全ての管の接合を確認する。最後に吸水タンク大図５（５４）と吸水タンク小図５（５３）との結合を確認し、開閉レバー図６（４７−３）を開けファン室内流水管図６（６７−１）に水が注入し始めたら、ヒーターの電源を入れる。浴槽本体に温水が送水送風ファンにより流入し始めたのを確認してクレーンを使い被介護人をカートに載せ、ワイヤーを繋いで自在滑車遠隔操作器にて浴槽本体の上まで搬入し湯船に降ろす。ワイヤーを解いてワイヤーを湯船より上方に移動させ、次に蓋をして被介護人の頭を浴槽の上に出して入浴準備完了。
お湯は水位管を通り浴槽の水位感知器により最高水位点でお湯の供給が止まる。
入浴終了時点で開閉レバー図６（４７−３）を閉じ浴槽本体の排水レバー図４（４７）を開く事で、浴槽本体のお湯を排出させる。次に、送水送風室のお湯を抜く為に排水レバー図６（４７−１）を開く、同時にファン室内流水管のお湯を抜く為に排水レバー図６（４７−２）を開く、それぞれの排水が終了したら、逆流防止弁付吸気管図６（６７−２）より空気を取り込む為の開閉レバー図６（４７−４）を開け再びヒーターのスイッチをいれ、温度調整をした後送水送風ファンにて温風を吹き込むことにより被介護人の体が乾き浴槽の湯も全部排出される。
被介護人の体が乾いたのを確認の後、クレーンにて湯船よりベッドに搬出することで被介護人の入浴完了となる
【産業上の利用可能性】
【０００８】介護の問題は高齢化社会において避けては通れず、将来において社会福祉の観点からも注視されると思われ本発明のクレーン付介護風呂の産業上の利用可能性は介護する側も介護され側からも大きいと思われる。
【図面の簡単な説明】
【０００９】
【図１】ページ（１）  全体図  １．クレーン図３  ２．浴槽本体図４  ３．吸水タンク図５  ４．温風温水送風送水器図６  ５．温風排出タンク図７  ６．排水タンク図８
【図２】ページ（２）  上記、図１の１〜６までのそれぞれのパーツの合体図であり図中の太線は管を表し、クレーンを除く全体図を表現している。
【図３】ページ（３）  カート付きクレーンを表し、ワイヤー、遠隔操作自在滑車、およびその操作器。カートの横から見た図および真上から見た図を表し、リクライニング板にて被介護人が快適に入浴できる方式を採用している。なお回転ボールの採用は本発明の一つ目の特徴である
【図４】ページ（４）  浴槽本体を表し素材を透明なアクリル板にすることで、浴槽本体の中の被介護人の様子を外から観察できる。浴槽の床にも回転ボールを配設している。
【図５】ページ（５）  吸水タンクは３個設置している、これも介護人の省力化に配慮した点である。何回かに分けて吸水することにより介護人の負担を軽減する工夫を施した。
【図６】ページ（６）  温風温水送風送水器  送水送風ファンを電動モーターで回転させることによりヒーターで暖められた温水および温風を浴槽本体に供給する。本発明のニつ目の特徴であり座敷での入浴を可能にした。なお水位感知器にて一定の温水量を調節できる。さらに、サーモ弁にて自動的に温水を供給できる。
【図７】ページ（７）  温風排出タンクは浴槽本体から湿った温風を直接外気に触れさせるのではなく、間接的に排出する役目を果たす。
【図８】ページ（８）  排水タンクは浴槽本体からの排水、溢水、および温風排出タンクからの湿った温風により発生する湯滴を一手に貯水し、排水タンク小を設置することで介護人においての排水を分割搬出処理する事で、重労働から開放した。
【図９】ページ（９）  着脱管は本発明の三つ目の特徴であり、座敷においての入浴を可能にした。簡単な操作と重労働からの開放のための機器である。つまり、各種のパーツを分割する事により持運びを簡単にし、操作も簡単にできるように設計した。水漏れの防止にも役に立つ発明である。着脱管図９（９０）は、雌管図９（９１−１）、雄管図９（９１−２）の２種類の管にて構成されており、構造上雌管図９（９１−１）にゴムパッキン作動器図９（９５）を設置、雄管（図９の９１−２）の硬質ゴム図９（９４−２）にて雌管のゴムパッキン作動器図９（９５）を押し込むとゴムパッキン弁図９（９２）が開く、と同時に管締ナット図９（９７）にて雄管（図９の９１−２）と雌管（図９の９１−１）とをネジ溝図９（９６−２）にて締め合せることにより簡単に密着させ、湯水が外部に漏れずに雌管から雄管に流れ込む。
【図１０】ページ（１０）  逆流防止弁も本発明の四つ目の特徴である。入浴には相当の温水を扱うので水漏れがあると苦労する所であるが本発明により解決した。この逆流防止弁にて温水の流れを一定方向にする事で衛生的に使用でき安心して被介護人を入浴させる事ができる。
【図１１】ページ（１１）  回転ボールは本発明の一つ目の特徴である。被介護人の入浴時の体勢移動をスムースにする事ができかつ体の浴槽との密着を防ぎ体全体にお湯が行きわたるように工夫した。更に、浴槽本体とカートとの間の隙間を形成し、お湯の流れもスムースにする事で、被介護人を満遍なく洗浄でき、さらには浴槽の内部を衛生的に保てるように設計した。
【図１２】ページ（１２）  サーモ弁を使用することで浴槽への温水が自動的に流入するよう設計した。湯温の一定化を図れ安全で快適さを提供できる。
【図１３】ページ（１３）  被介護人のベッドから浴槽本体までの搬入および浴槽内での体勢を表示した。
【符号の説明】
【００１０】３１          クレーン
３２          カート
４０          浴槽本体
５３          吸水タンク小
５４          吸水タンク大
６０          温風温水送風送水器
６１−１      送水送風ファン
７０          温風排出タンク
８３          排水タンク小
８４          排水タンク大
９１−１      着脱管（雌管）
９１−２      着脱管（雄管）
９２          ゴムパッキン弁
１００        逆流防止弁
１１０        回転ボール
【図１】
2005021705.tif 000003
【図２】
2005021705.tif 000004
【図３】
2005021705.tif 000005
【図４】
2005021705.tif 000006
【図５】
2005021705.tif 000007
【図６】
2005021705.tif 000008
【図７】
2005021705.tif 000009
【図８】
2005021705.tif 000010
【図９】
2005021705.tif 000011
【図１０】
2005021705.tif 000012
【図１１】
2005021705.tif 000013
【図１２】
2005021705.tif 000014
【図１３】
2005021705.tif 000015